(57)【要約】ビデオプログラムに対応するビデオストリーム２００から夫々の部分２０１〜２１４を選出することによって関連するビデオセグメント３０２〜３１４のコレクション３００を作る方法が開示される。関連するビデオセグメント３０２〜３１４のコレクション３００は、ビデオトレーラ又は映像要約として適用可能である。従って、関連するビデオセグメントのコレクションの継続時間は、ビデオプログラムの継続期間に比べて比較的短い。当該方法は、ビデオプログラムに対応する関連画像２２２〜２３４の更なるコレクション２０１を取り出すステップと、第１のビデオ画像を、更なるコレクション２０１の関連画像のうちの第１の画像２２２と第1のビデオ画像とに基づく比較を基にビデオストリームから選出するステップと、選出された第１のビデオ画像を基に関連するビデオセグメント３０２〜３１４の第１のセグメント３０２を作るステップとを有する。
2007524321.tif 000002
【特許請求の範囲】
【請求項１】
ビデオプログラムに対応するビデオストリームから夫々の部分を選出することによって、前記ビデオプログラムの第２の継続時間に比べて比較的短い第１の継続時間を有する関連するビデオセグメントのコレクションを作る方法であって：
前記ビデオプログラムに対応する関連画像の更なるコレクションを取り出すステップ；
前記更なるコレクションの関連画像のうちの第１の画像と第１のビデオ画像とに基づく比較を基に、前記第１のビデオ画像を前記ビデオストリームから選出するステップ；及び
前記選出された第１のビデオ画像を基に前記関連するビデオセグメントの第１のセグメントを作るステップ；
を有する方法。
【請求項２】
前記比較は、フィンガープリント法を基に前記画像のうちの第１の画像の第１の識別を決定し、前記第１のビデオ画像の第２の識別を決定し、前記第１の識別と前記第２の識別との間の一致を確立するステップを有することを特徴とする、請求項１記載の関連するビデオセグメントのコレクションを作る方法。
【請求項３】
前記比較は、視覚的特徴に基づくことを特徴とする、請求項１記載の関連するビデオセグメントのコレクションを作る方法。
【請求項４】
前記関連画像の更なるコレクションは、インターネットから取り出されることを特徴とする、請求項１記載の関連するビデオセグメントのコレクションを作る方法。
【請求項５】
前記関連画像の更なるコレクションは、放送チャネルから取り出され、前記ビデオストリームは、前記放送チャネルを介する放送であることを特徴とする、請求項１記載の関連するビデオセグメントのコレクションを作る方法。
【請求項６】
前記関連画像の更なるコレクションは、ＥＰＧから取り出されることを特徴とする、請求項１記載の関連するビデオセグメントのコレクションを作る方法。
【請求項７】
前記関連するビデオセグメントの第１のセグメントは、時間的に前記選出された第１のビデオ画像の周囲に置かれたビデオ画像の列を選出することによって作られることを特徴とする、請求項１記載の関連するビデオセグメントのコレクションを作る方法。
【請求項８】
ビデオプログラムに対応するビデオストリームから夫々の部分を選出することによって、前記ビデオプログラムの第２の継続時間に比べて比較的短い第１の継続時間を有する関連するビデオセグメントのコレクションを作るためのビデオセグメント編集ユニットであって：
前記ビデオプログラムに対応する関連画像の更なるコレクションを取り出すための取り出し手段；
前記更なるコレクションの関連画像のうちの第１の画像と第１のビデオ画像とに基づく比較を基に、前記第１のビデオ画像を前記ビデオストリームから選出するための選出手段；及び
前記選出された第１のビデオ画像を基に前記関連するビデオセグメントの第１のセグメントを作るための作成手段；
を有するビデオセグメント編集ユニット。
【請求項９】
ビデオストリームを受信するための受信ユニット；
前記ビデオストリームの保存、及び前記ビデオストリームから選出された関連するビデオセグメントのコレクションの保存のための記憶手段；並びに
請求項８記載の関連するビデオセグメントのコレクションを作るためのビデオセグメント編集ユニット；
を有する映像記憶システム。
【請求項１０】
ビデオプログラムに対応するビデオストリームから夫々の部分を選出することによって、前記ビデオプログラムの第２の継続時間に比べて比較的短い第１の継続時間を有する関連するビデオセグメントのコレクションを作る命令を有し、処理手段及びメモリを有するコンピュータ配置によって読み込まれるコンピュータプログラムであって、
読み込まれた後に、前記処理手段に：
前記ビデオプログラムに対応する関連画像の更なるコレクションを取り出す機能；
前記更なるコレクションの関連画像のうちの第１の画像と第１のビデオ画像とに基づく比較を基に、前記第１のビデオ画像を前記ビデオストリームから選出する機能；及び
前記選出された第１のビデオ画像を基に前記関連するビデオセグメントの第１のセグメントを作る機能；
を実現させるためのコンピュータプログラム。
【発明の詳細な説明】
【技術分野】
【０００１】
本発明は、ビデオプログラムに対応するビデオストリームから夫々の部分を選出することによって、前記ビデオプログラムの第２の継続時間に比べて比較的短い第１の継続時間を有する関連するビデオセグメントのコレクションを作る方法に関する。
【０００２】
本発明は、更に、ビデオプログラムに対応するビデオストリームから夫々の部分を選出することによって、前記ビデオプログラムの第２の継続時間に比べて比較的短い第１の継続時間を有する関連するビデオセグメントのコレクションを作るためのビデオセグメント編集ユニットに関する。
【０００３】
本発明は、更に：
−  ビデオストリームを受信するための受信ユニット；
−  前記ビデオストリームの保存、及び前記ビデオストリームから選出された関連するビデオセグメントのコレクションの保存のための保存手段；並びに
−  前出のような関連するビデオセグメントのコレクションを作るためのビデオセグメント編集ユニット；
を有する映像記憶システムに関する。
【０００４】
本発明は、更に、ビデオプログラムに対応するビデオストリームから夫々の部分を選出することによって、前記ビデオプログラムの第２の継続時間に比べて比較的短い第１の継続時間を有する関連するビデオセグメントのコレクションを作る命令を有し、処理手段及びメモリを有するコンピュータ配置によって読み込まれるコンピュータプログラムに関する。
【背景技術】
【０００５】
人々の生活空間でアクセス又は消費されうるオーディオ・ビデオ情報の量は、これまでに増大してきている。この傾向は、次世代テレビジョン受信機及びパーソナルコンピュータにより提供される技術及び機能の両方の集中に起因して、更に加速されうる。関心のあるオーディオ・ビデオ情報を選択するために、ユーザが関連するオーディオ・ビデオ情報を抽出するのを助け、且つ、大量の利用可能なオーディオ・ビデオ情報を効率的に検索するためのツールが必要とされる。ユーザが記録されたオーディオ・ビデオ情報を概観することを可能にし、且つ、記録されたビデオプログラム全体を見るべきか否かを決定するために、興味深い機能が、ビデオトレーラの自動発生である。ビデオプログラムが記録された又はされる場合に、関連するビデオセグメントをビデオストリームから選び出すために、記録されたビデオプログラムは解析される。関連するビデオセグメントをその後表示することによって、ユーザは、記録されたビデオプログラムの良好な概観を提供される。
【０００６】
上述したような方法の実施例は、１９９７年のＡＣＭコミュニケーション、４０（１２）、５５〜６２頁にあるＲ．Ｌｉｅｎｈａｒｔ等による論文「映像要約法（Ｖｉｄｅｏ  Ａｂｓｔｒａｃｔｉｎｇ）」から知られる。この論文は、映像データが４つの層でモデル化されうることを開示する。最下位レベルでは、映像データは一組のフレームから成り、次に高いレベルでは、フレームはショット（ｓｈｏｔ）又は連続的なカメラ記録に集められ、連続するショットが、物語の一貫性に基づくシーン（ｓｃｅｎｅ）に統合される。全てのシーンは、全体で映像（ｖｉｄｅｏ）となる。クリップの概念は、要約（ａｂｓｔｒａｃｔ）の要素であるよう選ばれたフレーム列と表現される。従って、映像要約（ｖｉｄｅｏ  ａｂｓｔｒａｃｔ）は、クリップのコレクションから成る。既知の方法は、映像コンテンツの区分け及び解析と、クリップ選択と、クリップ集合とから成る３つのステップを有する。解析ステップの目的は、主演俳優のクローズアップ、銃火、爆発及びテキストといった特別な事象を検出することである。既知の方法の欠点は、比較的複雑であって、ロバスト性を有さないことである。
【非特許文献１】論文「映像要約法（Ｖｉｄｅｏ  Ａｂｓｔｒａｃｔｉｎｇ）」、Ｒ．Ｌｉｅｎｈａｒｔ等著、ＡＣＭコミュニケーション、４０（１２）、５５〜６２頁、１９９７年
【発明の開示】
【発明が解決しようとする課題】
【０００７】
本発明は、比較的容易であり、比較的高い品質の関連するビデオセグメントのコレクションをもたらす上述のような方法を提供することである。
【課題を解決するための手段】
【０００８】
本発明の前出の目的は、当該方法が：
前記ビデオプログラムに対応する関連画像の更なるコレクションを取り出すステップ；
前記更なるコレクションの関連画像のうちの第１の画像と第１のビデオ画像とに基づく比較を基に、前記第１のビデオ画像を前記ビデオストリームから選出するステップ；及び
前記選出された第１のビデオ画像を基に前記関連するビデオセグメントの第１のセグメントを作るステップ；
を有することで達成される。
【０００９】
言い換えると、関連するビデオセグメントのコレクションの作成は、他のコレクション、即ち、同じビデオプログラムに対応する関連画像の更なるコレクションに基づく。あるビデオプログラムを見る、買う又はダウンロードするよう視聴者を引きつけるための共通のマーケティング技術は、トレーラ、即ち、関連する画像の更なるコレクションである。トレーラは、消費者に働きかけて（ｔｅａｓｅ）、特定のコンテンツに対する興味を引き起こすよう設計された、あるビデオプログラムの短いアペタイザー（ａｐｐｅｔｉｚｅｒ）である。それらは、制作された映画、テレビ番組及び全ての種類の映像の宣伝としての機能を果たす。それらは、通常、明らかに放送であり、それらのダウンロードは、無料であり、奨励されている。ユーザは、あるビデオプログラムを購入又は視聴する前に、トレーラを見ることを習慣とする。実際には、電子番組ガイド（ＥＰＧ）は、利用可能なビデオプログラムをリストアップするよう利用可能である場合に、トレーラを使用する。
【００１０】
画像により、視覚情報のみならず、代替的に、視覚情報及び聴覚情報の組合せ、即ち、画素行列のみ又はそれらの音声トラックと組み合わされた画素行列が生ずる。整合、即ち、比較は、視覚情報のみ、聴覚情報のみ、又は聴覚情報及び視覚情報の両方に基づくことができる。
【００１１】
ビデオトレーラの重要性は、メタデータ、及びＴＶ  Ａｎｙｔｉｍｅとして知られるＥＰＧの標準化のための国際産業フォーラムによっても認められている。ＴＶ  Ａｎｙｔｉｍｅ規格は、放送局が、ビデオプログラムのトレーラを、省略されていないビデオプログラムの実際の放送に関連づけることを可能にするための仕組みを標準化する。このように、消費者システムは、如何なる苦労も伴わずに、トレーラ及び関連するビデオプログラムを記録することができる。代替的には、トレーラはインターネットからダウンロードされる。
【００１２】
インターネットからダウンロードされた又はＥＰＧサービスに埋め込まれたトレーラは、通常、乏しい分解能を有し、ビデオプログラムに対応する省略されていないビデオストリームよりも実質的に悪い品質を有する。更に、それらのトレーラは、しばしば非常に短い。本発明に従う方法により、より低い品質及び／又は長さの取り出されたトレーラを基に、且つ、ビデオストリームを基に、関連するビデオセグメントのコレクション、即ち、ビデオプログラムの高度なトレーラ又は高度な映像要約を作ることが可能である。最終的には、新しく作られた、関連するビデオセグメントのコレクションは、例えば、利用可能な記録されたビデオプログラムのコレクションを閲覧するために使用される。
【００１３】
本発明に従う方法の実施例において、前記比較は、フィンガープリント法を基に前記画像のうちの第１の画像の第１の識別を決定し、前記第１のビデオ画像の第２の識別を決定し、前記第1の識別と前記第２の識別との間の一致を確立するステップを有する。フィンガープリントは、しばしば、シグニチャー（ｓｉｇｎａｔｕｒｅ）又はハッシュ（ｈａｓｈ）とも呼ばれ、信号の最も大きな関連する知覚的特徴の簡潔な要約である。極めて脆弱である暗号ハッシュ（原始データの単一ビットを反転させることは、一般的に、完全に異なるハッシュをもたらしうる。）とは異なり、フィンガープリントは、ここでは、ロバスト性を有すると解される。即ち、原始信号が知覚的に類似する場合に、対応するフィンガープリントもまた極めて類似する。従って、フィンガープリントは、視聴覚コンテンツを識別するために使用される。マルチメディアオブジェクトのためのフィンガープリントを発生させる方法の例は、欧州特許出願番号０１２００５０５．４（代理人明細書ＰＨＮＬ０１０１１０）と、２００１年９月のブレシアにおける「コンテンツベースのマルチメディア指標付けに関する国際研究会（Ｉｎｔｅｒｎａｔｉｏｎａｌ  Ｗｏｒｋｓｈｏｐ  ｏｎ  Ｃｏｎｔｅｎｔ−Ｂａｓｅｄ  Ｍｕｌｔｉｍｅｄｉａ  Ｉｎｄｅｘｉｎｇ）」でのＪａａｐ  Ｈａｉｔｓｍａ、Ｔｏｎ  Ｋａｌｋｅｒ及びＪｏｂ  Ｏｏｓｔｖｅｅｎによる「コンテンツ識別のためのロバスト音声ハッシング（Ｒｏｂｕｓｔ  Ａｕｄｉｏ  Ｈａｓｈｉｎｇ  Ｆｏｒ  Ｃｏｎｔｅｎｔ  Ｉｄｅｎｔｉｆｉｃａｔｉｏｎ）」とに記載されている。以下の論文、２０００年１月の台北における「コンピュータビジョンに関するアジア会議（ｔｈｅ  Ａｓｉａｎ  Ｃｏｎｆｅｒｅｎｃｅ  ｏｎ  Ｃｏｍｐｕｔｅｒ  Ｖｉｓｉｏｎ）」でのＮ．Ｄｉｍｉｔｒｏｖａ、Ｙ．Ｃｈｅｎ、Ｌ．Ｎｉｋｏｌｏｖｓｋａによる「既視映像における視覚関連性（Ｖｉｓｕａｌ  Ａｓｓｏｃｉａｔｉｏｎｓ  ｉｎ  Ｄｅｊａ  Ｖｉｄｅｏ）」及び２００２年の朱子における「視覚情報システムにおける最近の進歩に関する第５回国際会議ビジュアル２００２（ＶＩＳＵＡＬ  ２００２，５ｔｈ  ｉｎｔｅｒｎａｔｉｏｎａｌ  ｃｏｎｆｅｒｅｎｃｅ  ｏｎ  ｒｅｃｅｎｔ  ａｄｖａｎｃｅｓ  ｉｎ  ｖｉｓｕａｌ  ｉｎｆｏｒｍａｔｉｏｎ  ｓｙｓｔｅｍｓ）」でのＯｏｓｔｖｅｅｎ  Ｊ．Ｃ．、Ｋａｌｋｅｒ  Ａ．Ａ．Ｃ．、Ｈａｉｔｓｍａ  Ｊ．Ａ．による「映像フィンガープリント法のための特徴抽出及びデータベース方法（Ｆｅａｔｕｒｅ  ｅｘｔｒａｃｔｉｏｎ  ａｎｄ  ａ  ｄａｔａｂａｓｅ  ｓｔｒａｔｅｇｙ  ｆｏｒ  ｖｉｄｅｏ  ｆｉｎｇｅｒｐｒｉｎｔ）」も類似する技術について説明する。
【００１４】
フィンガープリントは、画像内の対象の数及び大きさに関連づけられても良い。随意的に、フィンガープリントは、顔の存在に関連づけられる。
【００１５】
本発明に従う方法の他の実施例において、前記比較は、視覚的特徴に基づく。選択肢は、例えば、カラーヒストグラムや、テクスチャヒストグラムや、加工された記述子である。代替的には、例えば画像間の差を計算することに基づくような他の形式の比較が使用される。通常、関連画像の更なるコレクションの画像の空間分解能は、ビデオストリームの画像の分解能よりも低い。コレクション及びビデオストリームからの夫々の画像を比較するために、中間画像が、ビデオストリームの画像を関連画像の空間分解能に縮小することによって計算される。その後、これらの中間画像は、比較のために使用される。望ましくは、画素差に基づく比較は、絶対的な画素値の差を計算することによって実行される。画素値により、輝度及び／又は色が意味される。
【００１６】
代替的に、整合は、字幕又はスピーチからテキスト翻字までのテキストに基づく。
【００１７】
本発明に従う方法の実施例において、前記関連するビデオセグメントの第１のセグメントは、時間的に前記選出された第１のビデオ画像の周囲に置かれたビデオ画像の列を選出することによって作られる。関連画像の更なるコレクションの継続時間よりも長く、依然として基の順序及び構造を保持しうる第１の継続時間により関連するビデオセグメントのコレクションを作るために、選出されたビデオ画像の数は、関連画像の第１のコレクションの画像の数よりも高い。関連するビデオセグメントのコレクションのセグメントにおいて望まれない飛び越しを導入しないために、視覚的連続性が、セグメント作成時に確認されるべきである。それは、夫々のセグメントが隣接するショットの境界までしか広げられ得ないことを意味する。
【００１８】
他の非常に類似するセグメントは、関連するビデオセグメントのコレクションを更に一層長い継続時間まで広げるよう挿入されうる。この目的のため、ビデオセグメントは、同様に、カラーヒストグラム整合等のような既知の映像回収技術のいずれかを用いて測定可能である。
【００１９】
選出されたビデオセグメントの長さ、即ち継続時間は、所定値に等しくなりうる。しかし、望ましくは、継続時間は、ユーザにより制御可能である。随意的に、ビデオセグメントの継続時間は、ビデオプログラムの継続時間又は選出されたビデオセグメントの数に関連する。
【００２０】
本発明の他の目的は、比較的簡単な方法で、且つ、比較的高い品質の関連するビデオセグメントのコレクションをもたらすように、関連するビデオセグメントのコレクションを作るよう配置された上述のようなビデオセグメント編集ユニットを提供することである。
【００２１】
本発明のこの目的は、当該ビデオセグメント編集ユニットが：
前記ビデオプログラムに対応する関連画像の更なるコレクションを取り出すための取り出し手段；
前記更なるコレクションの関連画像のうちの第１の画像と第１のビデオ画像とに基づく比較を基に、前記第１のビデオ画像を前記ビデオストリームから選出するための選出手段；及び
前記選出された第１のビデオ画像を基に前記関連するビデオセグメントの第１のセグメントを作るための作成手段；
を有することで達成される。
【００２２】
本発明の他の目的は、比較的簡単な方法で、且つ、比較的高い品質の関連するビデオセグメントのコレクションをもたらすように、関連するビデオセグメントのコレクションを作るよう配置された上述のような映像記憶システムを提供することである。
【００２３】
本発明のこの目的は、当該映像記憶システムのビデオセグメント編集ユニットが：
前記ビデオプログラムに対応する関連画像の更なるコレクションを取り出すための取り出し手段；
前記更なるコレクションの関連画像のうちの第１の画像と第１のビデオ画像とに基づく比較を基に、前記第１のビデオ画像を前記ビデオストリームから選出するための選出手段；及び
前記選出された第１のビデオ画像を基に前記関連するビデオセグメントの第１のセグメントを作るための作成手段；
を有することで達成される。
【００２４】
本発明に従う映像記憶システムの実施例において、記憶手段はハードディスクを有する。本発明に従う映像記憶システムの他の実施例において、記憶手段は、光ディスクのような、移動可能なメモリ装置、即ち、移動可能な記録媒体にビデオストリームを保存するよう配置される。本発明に従うビデオセグメント編集ユニットは、例えば、テレビ受像機、コンピュータ、ビデオレコーダ（ＶＣＲ）、ＤＶＤレコーダ、セットトップボックス、衛星チューナ、又は民生電子機器の分野における他の装置に含まれうる。本発明は、個人的な娯楽情報番組のガイドや、メディアサーバーのような映像記録能力を有する固定式の又は持ち運び可能な装置に適用可能である。
【００２５】
本発明の他の目的は、比較的簡単な方法で、且つ、比較的高い品質の関連するビデオセグメントのコレクションをもたらすように、関連するビデオセグメントのコレクションを作るよう配置された上述のようなコンピュータプログラムプロダクトを提供することである。
【００２６】
本発明のこの目的は、コンピュータプログラムプロダクトが、読み込まれた後に、前記処理手段に：
前記ビデオプログラムに対応する関連画像の更なるコレクションを取り出す機能；
前記更なるコレクションの関連画像のうちの第１の画像と第１のビデオ画像とに基づく比較を基に、前記第１のビデオ画像を前記ビデオストリームから選出する機能；及び
前記選出された第１のビデオ画像を基に前記関連するビデオセグメントの第１のセグメントを作る機能；
を実現させることで達成される。
【００２７】
ビデオセグメント編集ユニットの改良及びその変形は、上述した映像記憶システム、方法及びコンピュータプログラムプロダクトの改良及びその変形に対応しうる。
【発明を実施するための最良の形態】
【００２８】
本発明に従う方法、ビデオセグメント編集ユニット及び映像記憶システムの上記並びに他の態様について、明確となるよう、後述の実施例に関連して、添付の図面を参照して説明する。
【００２９】
同じ参照番号が、全ての図面に亘って、類似する部分を示すために使用される。
【００３０】
ビデオプログラムは、テレビ局、即ち、テレビ放送局による放送としてのテレビ番組でありうる。通常、テレビ番組は、テレビ受像機を用いて見られる。しかし、ビデオプログラムは、また、例えばインターネットを用いて、様々な種類のコンテンツ提供者により提供されうる。そのような場合には、ビデオプログラムは、テレビ受像機以外の他の形式の装置により見られる。代替的に、ビデオプログラムは、放送ではなくて、光ディスク、固体メモリ装置又はカセットテープのような移動可能な媒体を用いてやり取りされる。本開示では、ビデオプログラムがテレビ番組である例が記載される。本発明がより広い適用範囲を有することは明らかである。
【００３１】
テレビ信号は、画像情報と、音響情報と、例えばテレテキスト情報のような付加情報とを有する。テレビ信号は、テレビ番組を送信する。テレビ番組は、映画又はフィルムや、シリーズの１話や、演劇上演の撮影映像や、スポーツ番組のドキュメンタリを有することができる。テレビ番組の中のこれらの種類の情報は、コマーシャル時間情報及び告知情報の複数のユニットにより中断されうる。
【００３２】
図１は、本発明に従う記録及び再生装置１００の実施例を概略的に示す。この記録及び再生装置１００は、ハードディスクに基づく映像記憶システムである。記録及び再生装置１００は、受信信号ＴＳに含まれるテレビ信号ＦＳを記録し、記録されたテレビ信号ＡＦＳを再生するよう構成されている。受信信号ＴＳは、アンテナ、ケーブル又は衛星を介して受信された放送信号であっても良いが、ＶＣＲ（ビデオカセットレコーダ）又はデジタル・バーサトル・ディスク（ＤＶＤ）のような記録媒体からの信号であっても良い。受信信号ＴＳは、入力コネクタ１１０を介して供給される。再生されたテレビ信号ＡＦＳは、出力コネクタ１１２において供給され、例えばテレビ受像機に含まれる表示装置を用いて表示されうる。
【００３３】
記録及び再生装置１００は、信号ＴＳを受信するための受信ユニット１０２を有する。この受信ユニット１０２は、例えばチューナであって、テレビ局のテレビ信号ＦＳを選び出すよう配置される。このテレビ信号ＦＳは、テレビ番組２００に対応するビデオストリームを表す。
【００３４】
記録及び再生装置１００は、受信ユニット１０２により供給されるビデオストリームの保存のための記録及び再生手段１０６を有する。記録及び再生手段１０６は、一般に知られるように、記録されるべきテレビ信号ＦＳを処理し、再生されたテレビ信号ＡＦＳを処理するための信号処理段を有する。この処理段は、データ圧縮を有しても良い。記録及び再生手段１０６は、処理されたテレビ信号ＦＳの記録用の記録媒体としてハードディスクを有する。
【００３５】
記録及び再生装置１００は、再生されたテレビ信号ＡＦＳに対する保存情報の適合、及び、例えばテレビ受像機への、出力コネクタ１１２を介する再生されたテレビ信号ＡＦＳの送信のための交換ユニット１０４を有する。適合は、ビデオストリームを表すテレビ信号ＦＳの搬送波の変調を含んでも良い。保存情報は、受信ユニット１０２により供給されたビデオストリームと、関連するビデオセグメント３０２〜３１４のコレクション３００とを有する。
【００３６】
記録及び再生装置１００は、テレビ番組２００に対応するビデオストリームから夫々の部分２０２〜２１４を選び出すことによって、このような関連するビデオセグメント３０２〜３１４のコレクション３００を作るためのビデオセグメント編集ユニット１０８を有する。このビデオセグメント編集ユニット１０８の目的は、ビデオトレーラ（ｖｉｄｅｏ  ｔｒａｉｌｅｒ）、又は、代替的には、ビデオストリームの映像要約（ｖｉｄｅｏ  ａｂｓｔｒａｃｔ）を作ることである。従って、関連するビデオセグメント３０２〜３１４のコレクション３００の継続時間は、テレビ番組２００の継続時間に比べて比較的短い。例えば、テレビ番組は１又は２時間を要するが、関連するビデオセグメント３０２〜３１４のコレクション３００の継続時間は、数秒から数分の範囲にある。それは、例えば１０秒から２分までを意味する。結果として、関連するビデオセグメント３０２〜３１４の夫々は、ほんの数秒しか継続しない。ユーザ要求で、選ばれるべき関連するビデオセグメント３０２〜３１４の継続時間は、より短く、あるいはより長くなりうる。関連するビデオセグメントの全てが同じ長さを有することは必要とされない。関連するビデオセグメントの順序は、ビデオトレーラの順序に等しいことは必要とされない。関連するビデオセグメント３０２〜３１４のコレクションの作成は、ビデオストリームの記録中に又は記録が終わった後に、実行されうる。前者の場合には、ビデオストリーム２００は、接続１１４を用いて供給され、後者の場合には、ビデオストリーム２００は、接続１１６を用いて供給される。
【００３７】
ビデオセグメント編集ユニット１０８は、ビデオプログラム２００に対応する関連画像２２２〜２３４の更なるコレクション２０１を取り出すための第２の取り出しユニット１１８を有する。第２の取り出しユニット１１８は、インターネットへ接続された第２の入力コネクタ１１３を介して関連画像２２２〜２３４の更なるコレクション２０１を抽出するよう配置されている。第２の取り出しユニット１１８は、インターネットからトレーラをダウンロードするよう配置されている。代替的には、第２の取り出しユニット１１８は、受信ユニット１０２によって受信された信号ＴＳを介して関連画像の更なるコレクションを抽出するよう配置される。例えば、第２の取り出しユニット１１８は、ＥＰＧからトレーラを取り出すよう配置される。
【００３８】
ビデオセグメント編集ユニット１０８は、比較を基にビデオストリームからビデオ画像を選び出すための選出ユニット１２０を有する。比較は、ビデオストリームの関連するビデオ画像と共に、更なるコレクションの関連画像に基づく。
【００３９】
ビデオセグメント編集ユニット１０８は、選ばれたビデオ画像を基に関連するビデオセグメントを作るためのセグメント作成ユニット１２２を有する。それは、選ばれたビデオ画像の先行及び／又は後続の多数の画像が、様々な関連するビデオセグメント３０２〜３１４を形成するために使用されることを意味する。
【００４０】
関連するビデオセグメント３０２〜３１４のコレクション３００は、元のビデオストリームの夫々の部分の多数の複製として保存されうる。しかし、望ましくは、一組のポインタしか保存されない。ポインタは、ビデオストリームの中の選ばれた部分の開始又は終了に夫々対応するビデオストリーム内の開始又は停止位置を示す。関連するビデオセグメントのコレクションは、映像データとして又はポインタとして、元のビデオストリームの保存のために利用される同じメモリ装置に、又は、別のメモリ装置に保存されうる。移動可能な記録媒体に基づく記録及び再生装置の場合には、ビデオストリーム、及び関連するビデオセグメントのコレクションの両方が、同じ記録媒体に保存されることが望ましい。
【００４１】
第２の取り出しユニット１１８、選出ユニット１２０及びセグメント作成ユニット１２２は、１つの処理装置により実施されても良い。通常は、これらの機能は、ソフトウェアプログラムプロダクトの制御下で実行される。実行中に、通常、ソフトウェアプログラムプロダクトは、ＲＡＭのようなメモリに読み込まれ、そこから実行される。プログラムは、ＲＯＭ、ハードディスク、又は、磁気及び／若しくは光記録媒体のようなバックグラウンドメモリから読み込まれても良く、あるいは、インターネットのようなネットワークを介して読み込まれても良い。随意的に、アプリケーション特有の集積回路が、開示される機能性を提供する。
【００４２】
トレーラのビデオセグメントが、記録されたビデオプログラム、即ち、ビデオストリームのうちの対応する幾つかと完全に置換され得る一方で、関連する音声トラックは、専門的に作られたトレーラが、通常、異なる音声トラックを有し、ビデオプログラムに関する付加情報を伝えるようナレータの声を使用するので、手を付けられないままである。代替的には、記録されたビデオプログラムのより高品質の音声トラックは、トレーラの１つと使用又は混合をなされ得る。代替的には、トレーラの音響トラックの中のナレータの声は、音声フィルタリング（カラオケシステムにおいて声を除去するために使用されるのと同じ技術）により抽出され、記録されたビデオプログラムの高品質の音響トラックに加えられ得る。
【００４３】
図２は、本発明に従う、ビデオストリーム２００に基づく高度な（ｅｎｈａｎｃｅｄ）ビデオトレーラ３００の作成を概略的に示す。高度なビデオトレーラ３００を作るために、予め作られたビデオトレーラ２０１が使用される。通常は、このような予め作られたビデオトレーラ２０１は、高度なビデオトレーラ３００よりも時間的に短く、予め作られたビデオトレーラ２０１の画像は、高度なビデオトレーラ３００の画像よりも低い空間分解能を有する。予め作られたビデオトレーラ２０１は、画像から成る多数の短い列を有する。列の夫々に対して、特性が決定される。望ましくは、このような列の中の多数の画像は、１つの特徴、即ち、フィンガープリントを作るために使用される。代替的には、夫々の列の中の単一の画像のみが、このような特徴を作るために選ばれる。ビデオストリーム２００の画像に対して、類似する特徴が決定される。代替的には、例えば１０の画像の中の１つといった画像のサブセットに対してのみ、それらの特徴は決定される。２つのデータセット、即ち、ビデオストリーム及び予め作られたビデオトレーラの特徴を基に、整合手続が開始される。予め作られたビデオトレーラ２０１から導出されたデータと、ビデオストリーム２００から導出されたデータとの間の整合が成立する場合に、ビデオストリームの多数の画像は、高度なビデオトレーラ３００に使用されるよう選ばれる。
【００４４】
留意すべきは、上述した実施例は、本発明を限定するのではなく、説明しているに過ぎず、当業者は、添付の特許請求の範囲の主旨を損なわない範囲で代わりの実施例を設計することができうることである。特許請求の範囲において、括弧内に置かれた参照符号は、請求を限定するように解釈されるべきではない。語「有する」は、請求項に挙げられていない要素又はステップの存在を除外するわけではない。要素の前に置かれる語「１つの」は、このような要素の複数個の存在を除外するわけではない。本発明は、幾つかの専用素子を有するハードウェアによって及び適切なプログラムコンピュータによって実施可能である。幾つかの手段を列挙するユニットクレームにおいて、これらの手段の幾つかは、ハードウェアの同一の物によって具現化可能である。第１、第２及び第３等の語の使用は、如何なる順序も示されているわけではない。これらの語は、名称として解釈されるべきである。
【図面の簡単な説明】
【００４５】
【図１】本発明に従う記録及び再生装置の一実施例を概略的に示す。
【図２】本発明に従う、ビデオストリームに基づく高度なビデオトレーラの作成を概略的に示す。
【図１】
2007524321.tif 000003
【図２】
2007524321.tif 000004
【国際調査報告】
2007524321.tif 000005
2007524321.tif 000006
2007524321.tif 000007